(57)【特許請求の範囲】
【請求項１】
ＧＰＳアンテナを本体筐体に内蔵した折り畳み構造の携帯型無線端末であって、前記折り畳み構造の開閉に連動して前記ＧＰＳアンテナを前記本体筐体内で回転させて前記折り畳み構造の開閉前後で前記ＧＰＳアンテナの受信面の向きを変える回転機構を含むことを特徴とする携帯型無線端末。
【請求項２】
前記回転機構は、前記ＧＰＳアンテナが前記開閉に連動して１８０度回転するように構成されていることを特徴とする請求項１記載の携帯型無線端末。
【請求項３】
前記折り畳み構造は、表示部と操作部とが向かい合うように構成されており、前記回転機構は、前記折り畳み構造が開状態の時に、前記ＧＰＳアンテナの受信面が前記表示部を向き、閉状態の時に前記表示部と反対側を向くように構成されていることを特徴とする請求項２記載の携帯型無線端末。
【請求項４】
前記回転機構は、前記開閉に連動して上下スライドするスライド部材と、このスライド部材の上下スライド運動を回転運動に変換する変換部材とを有し、この回転運動により前記ＧＰＳアンテナの回転をなすようにしたことを特徴とする請求項１〜３いずれか記載の携帯型無線端末。
【請求項５】
前記回転機構は、前記開閉に応じて回転するモータを有し、このモータ回転により前記ＧＰＳアンテナの回転をなすようにしたことを特徴とする請求項１〜３いずれか記載の携帯型無線端末。
【請求項６】
前記ＧＰＳアンテナは基板の一主面上に取付けられた棒状アンテナであり、前記受信面は前記基板の一主面側であることを特徴とする請求項１〜５いずれか記載の携帯型無線端末。
【請求項７】
前記ＧＰＳアンテナは基板の一主面上に取付けられたパッチ型アンテナであり、前記受信面は前記基板の一主面側であることを特徴とする請求項１〜５いずれか記載の携帯型無線端末。
【発明の詳細な説明】
【０００１】
【発明の属する技術分野】
本発明は携帯型無線端末に関し、特にＧＰＳ用電波を受信するＧＰＳアンテナを内蔵した折り畳み構造の携帯型無線端末に関するものである。
【０００２】
【従来の技術】
現在、携帯電話は、使用時の使い易さや、収納時の小型化、大画面への対応等の利点を有することから、折り畳み構造のものが市場で大きな人気を得ている。その一方で、市場ではＧＰＳ（Global Positioning System ）受信機能の小型化や高性能化が進む中で、携帯電話とこのＧＰＳとを組合せて位置情報に関連した種々のサービスが新たに提案され、使用されつつある。
【０００３】
この様な二つの機能、すなわちＧＰＳ機能と折り畳み機能とを取入れたＧＰＳアンテナ内蔵の折り畳み式携帯電話の概略外観斜視図を図６に示している。図６において、装置本体１は表示部２を有する表示部筐体１２と、操作部３を有する操作部筐体１３と、これ等両筐体１２，１３を折り畳み自在に連結するヒンジ部１７とからなっている。そして、表示部２の上部の筐体１２内には、ＧＰＳ用電波を受信するためのＧＰＳアンテナ１００が固定的に取付けられている。
【０００４】
このＧＰＳアンテナの具体的構造の一例が図７に示されており、基板１１の一主面上に設けられた棒状アンテナ４１からなっている。この様な一般的な棒状アンテナでは、図８に示す如く、基板１１のアンテナ取付面（すなわち、基板１１の一主面）側では、強い受信強度を示すが、その反対面側では、必要な受信強度が得られない。
【０００５】
また、図９はＧＰＳアンテナの他の例を示しており、基板１１の一主面上に設けられたパッチ型アンテナ４２からなり、この様な一般的なパッチ型アンテナでも、図１０に示す如く、基板１１のアンテナ取付面（すなわち、基板１１の一主面）側では、強い受信強度を示すが、その反対面側では、必要な受信強度が得られない。
【０００６】
この様な事実から、本明細書においては、以下基板１１のアンテナ取付面側をアンテナ受信面と呼ぶものとする。
【０００７】
この様なタイプのＧＰＳアンテナを折り畳み式携帯電話に実装した場合、図１１または図１２に示す様に、アンテナ受信面を表示部２の表示面側に向けても、またその反対側に向けても、携帯電話を開いた場合と、閉じた場合との両方に対して最適なアンテナ方向を得ることは不可能である。
【０００８】
詳細に説明すると、例えば、図１１（ａ）の様に、右方向（表示面方向）にＧＰＳアンテナの受信強度が取れるように取付けられた場合（ＧＰＳアンテナの受信面が表示面側となる様に取付けた場合）、携帯電話を開いている状態では、使用者は表示部２を上向きで使用するのが一般的であることから、ＧＰＳアンテナ１００の受信面も上空を向いているので、上空からのＧＰＳ信号は受信し易すい。逆に、図１１（ｂ）の様に、携帯電話を閉じている状態では、仮に右側が上空方向であったとしても、対向する操作部筐体１３がＧＰＳアンテナ１００の受信面方向に存在することになって、ＧＰＳアンテナ１００の受信感度は劣化し、必要なＧＰＳ信号の受信強度が得られない。また、左側が上空方向の場合には、ＧＰＳアンテナ１００の受信面が逆向きであるために、同様に、ＧＰＳアンテナ１００の受信感度が劣化し、いずれにしても、ＧＰＳとしての感度は確保できないことになる。
【０００９】
反対に、図１２（ａ）の様に、左方向にＧＰＳアンテナ１００の受信面が位置する様に取付けた場合には、図１２（ｂ）に示す如く、携帯電話を閉じた状態では、ＧＰＳアンテナ１００の受信面の方向に操作部筐体１３がないために、受信信号を妨害するものはなく、よって左側が上空方向であれば、ＧＰＳアンテナ１００の受信感度は確保できる。しかしながら、図１２（ａ）の如く、携帯電話を開いて使用する状態では、表示部２が上向きとなり、ＧＰＳアンテナ１００は地面の方向を向いてしまい、上空からのＧＰＳ電波は受信することができず、やはり、携帯電話の開状態と閉状態の両方で、受信感度を所望に得られないことになる。
【００１０】
本発明は、ＧＰＳアンテナ内蔵の折り畳み構造の携帯型無線端末において、開閉の両状態において常に最適な受信感度が得られる様にすることを目的としている。
【００１１】
【課題を解決するための手段】
本発明によれば、ＧＰＳアンテナを本体筐体に内蔵した折り畳み構造の携帯型無線端末であって、前記折り畳み構造の開閉に連動して前記ＧＰＳアンテナを前記本体筐体内で回転させて前記折り畳み構造の開閉前後で前記ＧＰＳアンテナの受信面の向きを変える回転機構を含むことを特徴とする携帯型無線端末が得られる。
【００１２】
そして、前記回転機構は、前記ＧＰＳアンテナが前記開閉に連動して１８０度回転するように構成されていることを特徴とし、また前記折り畳み構造は、表示部と操作部とが向かい合うように構成されており、前記回転機構は、前記折り畳み構造が開状態の時に、前記ＧＰＳアンテナの受信面が前記表示部を向き、閉状態の時に前記表示部と反対側を向くように構成されていることを特徴とする。
【００１３】
更に、前記回転機構は、前記開閉に連動して上下スライドするスライド部材と、このスライド部材の上下スライド運動を回転運動に変換する変換部材とを有し、この回転運動により前記ＧＰＳアンテナの回転をなすようにしたことを特徴とし、また前記回転機構は、前記開閉に応じて回転するモータを有し、このモータ回転により前記ＧＰＳアンテナの回転をなすようにしたことを特徴とする。
【００１４】
また、前記ＧＰＳアンテナは基板の一主面上に取付けられた棒状アンテナであり、前記受信面は前記基板の一主面側であることを特徴とし、また前記ＧＰＳアンテナは基板の一主面上に取付けられたパッチ型アンテナであり、前記受信面は前記基板の一主面側であることを特徴とする。
【００１５】
本発明の作用を述べる。ＧＰＳアンテナ内蔵の折り畳み式携帯型無線端末において、携帯端末の開閉に連動して、ＧＰＳアンテナを回転自在に構成する。これにより、その受信面が回転して方向を変えることになって、携帯無線端末を開いた状態でも、閉じた状態でも、常に最適の方向にＧＰＳアンテナが回転するので、希望するＧＰＳ信号受信感度が得られることになる。
【００１６】
【発明の実施の形態】
以下に、本発明の実施の形態につき図面を参照しつつ説明する。
【００１７】
図１は本発明の実施の形態が適用される折り畳み式携帯電話の概略を示す外観斜視である。図１を参照すると、装置本体１は表示部２を有する表示部筐体１２と、操作部３を有する操作部筐体１３と、これ等両筐体１２，１３を折り畳み自在に連結するヒンジ部１７とからなる。そして表示部２の上部の筐体１２内には、ＧＰＳ用電波を受信するためのＧＰＳアンテナ１０が取付けられている。このＧＰＳアンテナ１０は表示部２と操作部３との折り畳み（開閉）に連動して回転自在な構成であり、可動式ＧＰＳアンテナとなっている。
【００１８】
図２は本発明の原理を説明するための図であり、図１、図１１、図１２と同等部分は同一符号にて示しており、その部分の説明については冗長さを避けるために省略する。本発明においては、ＧＰＳアンテナ内蔵型の折り畳み式携帯電話本体１の開閉に連動して、ＧＰＳアンテナ１０の方向が回転して変化し、図２（ａ）の様に、携帯電話を開いた状態でも、また図２（ｂ）の様に、携帯電話を閉じた状態でも、ＧＰＳアンテナ１０の受信面が最適な方向（Ａ，Ｂ）を向き、常にＧＰＳ用電波の受信感度が最適になる様にしている。
【００１９】
すなわち、図２（ａ）に示す如く、携帯電話本体１を開状態としたとき、ＧＰＳアンテナ１０の（受信面の）向きが、表示部２の表示面方向Ａとなり、上空を向くことになる。また、図２（ｂ）に示す如く、携帯電話本体１を閉状態としたときには、ＧＰＳアンテナ１０が回転軸１６を中心に、図２（ａ）の状態から１８０度回転して、表示部２の表示面とは反対方向Ｂの面を向き、操作部筐体１３がＧＰＳ電波に対して遮蔽物とならない位置関係になる。
【００２０】
ＧＰＳアンテナ１０が携帯電話の開閉に連動して回転軸１６を中心に回転する構造の例について、以下に説明する。図３はこの回転構造の一例を説明する図であり、（ａ）は本体１を開いた状態、（ｂ）は本体１を閉じた状態をそれぞれ示している。なお、本図においては、表示部筐体１２の部分のみを示す。
【００２１】
図４に示す如く、携帯電話本体１の開閉に連動して上下にスライドするスライド部材２０を設け、その先端部分に補助アーム２２を取付け、スライド部材２０の上下スライド運動を補助アーム２２に伝達し、この補助アーム２２に伝達された上下運動を、回転板２１の回転運動に変換するようになっている。この回転板２１の回転軸は、ＧＰＳアンテナ１０の回転軸１６である。スライド部材２０は、本体１が開いた状態では、最上端にあり、閉じた状態では、最下端に位置する。
【００２２】
図４に、スライド部材２０の上下スライドを回転板２１の回転運動に変換する構造の例を示している。スライド部材２０の先端部分に取付けられた補助アーム２２には、ガイド孔２４が設けられており、このガイド孔２４には、回転板２１のある半径線上の所定位置に設けられたピン２３が係合している。従って、本体１を開くと、ヒンジ部１７の動きと連動するスライド部材２０が図４（ａ）の上方向へ移動し、この移動により補助アーム２２も上方向へ移動する。このとき、回転板２１のピン２３が補助アーム２２のガイド孔２４と係合しており、かつ回転板２１が回転軸１６を中心として、この回転軸と共に回転自在とされているために、回転板２１が矢印方向に回転する。
【００２３】
ＧＰＳアンテナ１０及び基板１１は、この回転軸１６に連結されているので、回転板２１が回転するに伴って、ＧＰＳアンテナ１０も同様に回転して図２（ａ）や図３（ａ）に示した方向に向くことになる。
【００２４】
本体１を閉じると、図４（ｂ）に示す如く、ヒンジ部１７と連動するスライド部材２０が下方向に移動し、よって回転板２１及び回転軸１６が矢印方向に回転することになる。従って、図４（ａ）の状態から、ＧＰＳアンテナ１０が１８０度回転する様に設計しておけば、本体１を閉じた状態で、ＧＰＳアンテナ１０の向きは、図３（ａ），（ｂ）に示す様に、互いに反対向きとなり、本発明の目的が達成される。
【００２５】
ＧＰＳアンテナ１０が携帯電話の開閉に連動して回転軸１６を中心に回転する構造の他の例について図５を参照して説明する。図５（ａ）は本体１を開いた状態であり、図５（ｂ）は閉じた状態である。本体１を開いた状態では、スイッチ３１は開放となっており、これにより開状態が検知される。スイッチ３１による開状態の検知に応答して、図示せぬ内蔵の制御部からモータ３０へ通電が行われ、モータ３０が回転する。このとき、モータ３０と直結された回転軸１６が回転してＧＰＳアンテナ１０が回転することになる。この状態が図５（ｂ）に示されており、ＧＰＳアンテナ１０は表示部２の方向を向いていることになる。
【００２６】
図５（ｂ）に示す様に、本体１が閉じられると、スイッチ３１が接続状態となり、これが制御部へ伝達される。制御部はこれに応答してモータ３０に通電を行い、ＧＰＳアンテナ１０を、図５（ａ）の状態から１８０度回転させ、図５（ａ）とは反対方向にＧＰＳアンテナ１０と基板１１の向きを変更する。
【００２７】
尚、上記実施の形態におけるＧＰＳアンテナ回転機構は、種々の変形が可能であり、またＧＰＳアンテナは図７や図９に示した棒状ＧＰＳアンテナ、パッチ型ＧＰＳアンテナを用いることができる。更に、携帯電話に限定されることなくＧＰＳアンテナを内蔵し、かつ折り畳み自在な無線端末であれば、広く適用できるものである。
【００２８】
【発明の効果】
以上述べた如く、本発明によれば、折り畳み式の携帯型無線端末において、本体の開閉と連動してＧＰＳアンテナの向きを変化させるようにし、常にＧＰＳアンテナの向きを最適になるようにしたので、本体を開いた状態でも閉じた状態でも最適なＧＰＳ受信感度が得られるという効果がある。
【図面の簡単な説明】
【図１】本発明の実施の形態が適用される携帯電話の概略を示す外観斜視図である。
【図２】（ａ）は本発明の実施の形態における本体開時の概略図、（ｂ）は本体閉時の概略図である。
【図３】（ａ）は本発明の実施の形態におけるアンテナ回転機構の一例を示す本体開時の状態図、（ｂ）は本体閉時の状態図である。
【図４】（ａ）は図３のアンテナ回転機構の本体開示における詳細図、（ｂ）は本体閉時の詳細図である。
【図５】（ａ）は本発明の実施の形態におけるアンテナ回転機構の他の例を示す本体開時の状態図、（ｂ）は本体閉時の状態図である。
【図６】従来のＧＰＳアンテナ内蔵折り畳み式携帯電話の概略を示す外観斜視図である。
【図７】棒状ＧＰＳアンテナの外観図である。
【図８】棒状ＧＰＳアンテナの受信感度を示す図である。
【図９】パッチ型ＧＰＳアンテナの外観図である。
【図１０】パッチ型ＧＰＳアンテナの受信感度を示す図である。
【図１１】（ａ）は従来の固定ＧＰＳアンテナを用いた携帯電話の一例における本体開時の概略図、（ｂ）は本体閉時の概略図である。
【図１２】（ａ）は従来の固定ＧＰＳアンテナを用いた携帯電話の他の例における本体開得の概略図、（ｂ）は本体閉時の概略図である。
【符号の説明】
１      携帯電話本体
２      表示部
３      操作部
１０    可動式ＧＰＳアンテナ
１１    アンテナ基板
１２    表示部筐体
１３    操作部筐体
１４    表示部基板
１５    操作部基板
１６    回転軸
１７    ヒンジ部
２０    スライド部材
２１    回転板
２２    補助アーム
２３    ピン
２４    ガイド孔
３０    モータ
３１    スイッチ
４１    棒状アンテナ
４２    パッチ型アンテナ
【図１】
0004007008.tif 000002
【図２】
0004007008.tif 000003
【図３】
0004007008.tif 000004
【図４】
0004007008.tif 000005
【図５】
0004007008.tif 000006
【図６】
0004007008.tif 000007
【図７】
0004007008.tif 000008
【図８】
0004007008.tif 000009
【図９】
0004007008.tif 000010
【図１０】
0004007008.tif 000011
【図１１】
0004007008.tif 000012
【図１２】
0004007008.tif 000013